(57)【要約】【課題】デバイス毎の色再現域の大きさや、使用できる色材総量の上限値を考慮しつつ、簡易かつ適切に墨量を導出することのできる色変換装置を得る。【解決手段】デバイス独立色空間で出力側デバイスの墨量毎の色再現域における上側色再現域外郭面上のデバイス独立色信号と対応する墨量との関係をモデル化し（ステップ１００）、これによって得られたモデルを用いてデバイス独立色信号に対応する墨量をベース墨量として導出し（ステップ１０２）、導出したベース墨量を、当該ベース墨量を上限量とし、色材総量の上限値が加味された最低限必要な墨量を下限量として予め定められた最終墨量に変換するための変換情報を用いて、上記ステップ１０２の処理によって導出されたベース墨量を最終墨量に変換することにより、出力側デバイスで出力する際の墨量を導出する（ステップ１０４）。【選択図】図４
2009010743.tif 000002
【特許請求の範囲】
【請求項１】
墨を含まない入力側デバイスの色信号を入力する入力手段と、
前記入力手段によって入力された色信号をデバイス独立色空間におけるデバイス独立色信号に変換する変換手段と、
前記変換手段によって得られたデバイス独立色信号に基づいて、前記入力側デバイスの色信号により示される画像を色材総量の制限が課せられた色空間の出力側デバイスで出力する際の墨量を導出する出力墨量導出手段と、
前記出力墨量導出手段によって導出された墨量及び前記デバイス独立色信号に基づいて、前記入力側デバイスの色信号により示される画像を前記出力側デバイスで出力するための、前記墨量を除く色信号を導出する色信号導出手段と、
を備え、
前記出力墨量導出手段は、
前記デバイス独立色空間で前記出力側デバイスの墨量毎の色再現域における上側色再現域外郭面上のデバイス独立色信号と対応する墨量との関係をモデル化するモデル化手段と、
前記モデル化手段により得られたモデルを用いて、前記変換手段によって得られたデバイス独立色信号に対応する墨量をベース墨量として導出するベース墨量導出手段と、
前記ベース墨量を、当該ベース墨量を上限量とし、前記色材総量の上限値が加味された最低限必要な墨量を下限量として予め定められた最終墨量に変換するための変換情報が予め記憶された記憶手段と、
前記記憶手段により記憶された変換情報を用いて、前記ベース墨量導出手段によって導出されたベース墨量を最終墨量に変換することにより、前記出力側デバイスで出力する際の墨量を導出する墨量変換手段と、
を有する色変換装置。
【請求項２】
前記変換情報は、前記最終墨量が増加し始めるベース墨量を示す開始点パラメータ、ベース墨量が最大値となる際の最終墨量を示す上限パラメータ、及び前記開始点パラメータと前記上限パラメータとの間の変化の線形度を示す線形度パラメータを有する関数である
請求項１記載の色変換装置。
【請求項３】
前記モデル化手段は、前記出力側デバイスの墨量が１００％であるときの色再現域における最大カバレッジ点に相当するデバイス独立色信号と、１００％を超える前記墨量とを仮想的に関係付けて、前記モデル化を行う
請求項１又は請求項２記載の色変換装置。
【請求項４】
前記変換情報は、前記デバイス独立色空間における白点から黒点に向かうライン上におけるベース墨量を最終墨量に変換するための第１の変換情報と、前記デバイス独立色空間における２次色から黒点に向かうライン上におけるベース墨量を最終墨量に変換するための第２の変換情報とを有し、
前記墨量変換手段は、前記白点から黒点に向かうライン上におけるベース墨量を最終墨量に変換する際には前記第１の変換情報を用い、前記２次色から黒点に向かうライン上におけるベース墨量を最終墨量に変換する際には前記第２の変換情報を用い、前記白点から黒点に向かうライン上と前記２次色から黒点に向かうライン上の間におけるベース墨量を最終墨量に変換する際には前記第１の変換情報及び前記第２の変換情報の２つの変換情報から補間して算出する
請求項１〜請求項３の何れか１項記載の色変換装置。
【請求項５】
前記変換情報は、前記最終墨量に前記上限量を上まわる部分が存在する場合は当該部分の最終墨量が当該上限量とされ、前記最終墨量に前記下限量を下まわる部分が存在する場合は当該部分の最終墨量が当該下限量とされるものである
請求項１〜請求項４の何れか１項記載の色変換装置。
【請求項６】
前記変換情報は、前記最終墨量に前記上限量及び前記下限量の範囲を外れる部分が存在する場合は、当該部分が当該範囲内に収まるように修正されるものである
請求項１〜請求項４の何れか１項記載の色変換装置。
【発明の詳細な説明】
【技術分野】
【０００１】
本発明は、色変換装置に関する。
【背景技術】
【０００２】
墨を含まない入力側デバイス（入力側装置）の色空間から墨を含む出力側デバイス（出力側装置）の色空間に色信号を変換する色変換装置においては、出力側デバイスの信号である墨量を示す信号を生成する必要がある。
【０００３】
従来、この墨量を示す信号を生成する手法として、ＵＣＲ（Under Color Removable）と呼ばれる手法がある。この手法は、出力側デバイスの色空間におけるＣ（シアン），Ｍ（マゼンタ），Ｙ（イエロー）の色信号を導出した後にグレイ成分を抽出し、当該グレイ成分の一定割合を墨量に置き換えるものである。しかしながら、この手法は簡便である一方、色を忠実に再現できない、Ｃ，Ｍ，Ｙ，Ｋ（墨）の再現可能な色範囲（以下、「色再現域」という。）を有効に使用することができない、といった問題点があった。
【０００４】
そこで、この問題点を解決するために適用できる技術として、特許文献１には、デバイス独立色空間（デバイス非依存色空間）におけるデバイス独立色信号から算出した最大墨量に予め設計された係数を乗じることによって墨量を決定し、決定した墨量とデバイス独立色信号からＣ，Ｍ，Ｙを算出することで、忠実な色再現を実現する技術が開示されている。また、特許文献２には、最大墨量に加えて最小墨量も使用することで、色再現域を最大限に使用する技術が開示されている。これらの技術は、適用するデバイス毎に適切な係数を予め設計する必要があり、通常は、明度と彩度を用いた関数として設計されることが多い。
【０００５】
また、特許文献３には、入力色信号の色相情報を用いて当該色相の最高彩度点、及び墨開始点を調節パラメータから選択し、予め算出しておいた墨生成条件と調節パラメータである基準点、最高彩度点、墨開始点の座標情報とから墨生成条件関数を決定して、当該関数を用いて墨量を決定する技術が開示されている。
【０００６】
一方、一般に、入力側デバイスと出力側デバイスが異なると、それらの装置の色再現域も異なるため、例えばＣＲＴディスプレイ装置上で作成した画像をプリンタで印刷する場合等、入力側デバイスと同一のカラー画像信号により出力を行おうとすると、再現できない色が生じる場合がある。
【０００７】
そのため、少なくとも再現できない色については最も近いと考えられる色に置き換えて出力し、画像全体として当該出力側デバイスにおいては最良の画質で再現できるようにしている。このとき、与えられたカラー画像信号を、出力側デバイスの色再現域内の色に置き換える色域マッピング（所謂ガマット（Ｇａｍｕｔ）マッピング）が必要となる。
【特許文献１】特開２００１−８６３６０号公報
【特許文献２】特開平１１−２２５２７９号公報
【特許文献３】特開２００４−１１２５４８号公報
【発明の開示】
【発明が解決しようとする課題】
【０００８】
本発明は、以上の技術背景においてなされたものであり、デバイス毎の色再現域の大きさや、使用できる色材総量の上限値を考慮しつつ、簡易かつ適切に墨量を導出することのできる色変換装置を提供することを目的とする。
【課題を解決するための手段】
【０００９】
上記目的を達成するために、請求項１に記載の色変換装置は、墨を含まない入力側デバイスの色信号を入力する入力手段と、前記入力手段によって入力された色信号をデバイス独立色空間におけるデバイス独立色信号に変換する変換手段と、前記変換手段によって得られたデバイス独立色信号に基づいて、前記入力側デバイスの色信号により示される画像を色材総量の制限が課せられた色空間の出力側デバイスで出力する際の墨量を導出する出力墨量導出手段と、前記出力墨量導出手段によって導出された墨量及び前記デバイス独立色信号に基づいて、前記入力側デバイスの色信号により示される画像を前記出力側デバイスで出力するための、前記墨量を除く色信号を導出する色信号導出手段と、を備え、前記出力墨量導出手段は、前記デバイス独立色空間で前記出力側デバイスの墨量毎の色再現域における上側色再現域外郭面上のデバイス独立色信号と対応する墨量との関係をモデル化するモデル化手段と、前記モデル化手段により得られたモデルを用いて、前記変換手段によって得られたデバイス独立色信号に対応する墨量をベース墨量として導出するベース墨量導出手段と、前記ベース墨量を、当該ベース墨量を上限量とし、前記色材総量の上限値が加味された最低限必要な墨量を下限量として予め定められた最終墨量に変換するための変換情報が予め記憶された記憶手段と、前記記憶手段により記憶された変換情報を用いて、前記ベース墨量導出手段によって導出されたベース墨量を最終墨量に変換することにより、前記出力側デバイスで出力する際の墨量を導出する墨量変換手段と、を有する。
【００１０】
また、請求項２に記載の発明は、請求項１に記載の発明において、前記変換情報が、前記最終墨量が増加し始めるベース墨量を示す開始点パラメータ、ベース墨量が最大値となる際の最終墨量を示す上限パラメータ、及び前記開始点パラメータと前記上限パラメータとの間の変化の線形度を示す線形度パラメータを有する関数であるものである。
【００１１】
また、請求項３に記載の発明は、請求項１又は請求項２に記載の発明において、前記モデル化手段が、前記出力側デバイスの墨量が１００％であるときの色再現域における最大カバレッジ点に相当するデバイス独立色信号と、１００％を超える前記墨量とを仮想的に関係付けて、前記モデル化を行うものである。
【００１２】
また、請求項４に記載の発明は、請求項１〜請求項３の何れか１項に記載の発明において、前記変換情報が、前記デバイス独立色空間における白点から黒点に向かうライン上におけるベース墨量を最終墨量に変換するための第１の変換情報と、前記デバイス独立色空間における２次色から黒点に向かうライン上におけるベース墨量を最終墨量に変換するための第２の変換情報とを有し、前記墨量変換手段が、前記白点から黒点に向かうライン上におけるベース墨量を最終墨量に変換する際には前記第１の変換情報を用い、前記２次色から黒点に向かうライン上におけるベース墨量を最終墨量に変換する際には前記第２の変換情報を用い、前記白点から黒点に向かうライン上と前記２次色から黒点に向かうライン上の間におけるベース墨量を最終墨量に変換する際には前記第１の変換情報及び前記第２の変換情報の２つの変換情報から補間して算出するものである。
【００１３】
また、請求項５に記載の発明は、請求項１〜請求項４の何れか１項に記載の発明において、前記変換情報が、前記最終墨量に前記上限量を上まわる部分が存在する場合は当該部分の最終墨量が当該上限量とされ、前記最終墨量に前記下限量を下まわる部分が存在する場合は当該部分の最終墨量が当該下限量とされるものである。
【００１４】
更に、請求項６に記載の発明は、請求項１〜請求項４の何れか１項に記載の発明において、前記変換情報が、前記最終墨量に前記上限量及び前記下限量の範囲を外れる部分が存在する場合は、当該部分が当該範囲内に収まるように修正されるものである。
【発明の効果】
【００１５】
請求項１に記載の発明によれば、デバイス毎の色再現域の大きさや、使用できる色材総量の上限値を考慮しつつ、本発明を適用しない場合に比較して簡易かつ適切に墨量を導出することができる、という効果が得られる。
【００１６】
また、請求項２に記載の発明によれば、本発明を適用しない場合に比較して、より簡易に墨量を導出することができる、という効果が得られる。
【００１７】
また、請求項３に記載の発明によれば、本発明を適用しない場合に比較して、より適切に墨量を導出することができる、という効果が得られる。
【００１８】
また、請求項４に記載の発明によれば、本発明を適用しない場合に比較して、より適切に墨量を導出することができる、という効果が得られる。
【００１９】
また、請求項５に記載の発明によれば、本発明を適用しない場合に比較して、より適切に墨量を導出することができる、という効果が得られる。
【００２０】
更に、請求項６に記載の発明によれば、本発明を適用しない場合に比較して、より適切に墨量を導出することができる、という効果が得られる。
【発明を実施するための最良の形態】
【００２１】
以下、図面を参照して、本発明の実施の形態について詳細に説明する。
【００２２】
まず、本実施の形態に係る色変換装置の構成を説明する。図１は、本発明に係る色変換装置の構成例を示すブロック図である。ここで説明する色変換装置は、ディジタル複写機やプリンタ等といった画像形成装置に搭載され、若しくはその画像形成装置に接続するサーバ装置に搭載され、またはその画像形成装置に動作指示を与えるコンピュータ（ドライバ装置）に搭載されて用いられるもので、図例のように、入力部１と、出力部２と、ユーザ・インタフェース（ 以下「ＵＩ」と称する。）部３と、色空間信号変換部４と、を備えたものである。
【００２３】
ここで、入力部１は、入力側デバイスからの入力画像信号を取得するためのものである。なお、入力画像信号としては、例えば、ＣＲＴディスプレイ装置等に表示させるためのＲ（赤）Ｇ（緑）Ｂ（青）色空間におけるカラー画像信号、ＣＩＥＬａｂ色空間におけるカラー画像信号、ＹＭＣ色空間におけるカラー画像信号等が挙げられる。本実施の形態では、入力画像信号がＲＧＢ色空間のカラー画像信号である場合について説明する。
【００２４】
一方、出力部２は、出力側デバイスにＹＭＣＫ色空間のカラー画像信号を出力するためのものである。また、ＵＩ部３は、ユーザによる操作に応じて、入力部１、出力部２、色空間信号変換部４に対する各種設定を行うためのものである。更に、色空間信号変換部４は、入力部１が取得した入力画像信号を、出力部２で出力するカラー画像信号に変換するためのものである。なお、色空間信号変換部４では、主として、入力画像信号に対する色域マッピングを行うことにより、入力画像信号を出力部２で出力するカラー画像信号へ変換する。
【００２５】
次に、色空間信号変換部４の構成について、図２を参照しつつ詳細に説明する。なお、図２は、本実施の形態に係る色空間信号変換部４の構成例を示すブロック図である。
【００２６】
図例のように、色空間信号変換部４は、入力色空間変換部１１と、色域マッピング部１４と、墨量導出部１５と、出力色空間変換部１６と、メモリ１７と、を備えたものである。
【００２７】
入力色空間変換部１１は、入力画像信号の色空間（本実施の形態では、ＲＧＢ色空間）を色域マッピング部１４で用いる色空間（本実施の形態では、デバイス独立色空間であるＣＩＥ−Ｌ＊ａ＊ｂ＊色空間）に変換する色空間変換処理を行うものである。このように、本実施の形態では、上記デバイス独立色空間としてＣＩＥ−Ｌ＊ａ＊ｂ＊色空間を用いた場合について説明するが、これに限らず、Ｊｃｈ等の装置に依存しない他の色空間を用いてもよい。ただし、無彩色軸方向へ色域マッピングした際に色相が変化しない色空間を用いることが好ましい。
【００２８】
また、色域マッピング部１４は、入力色空間変換部１１から出力された入力画像信号を、出力側デバイスで再現できる範囲（色再現域）のカラー画像信号へマッピングするものである。なお、本実施の形態に係る出力側デバイスの色空間は、色材総量の制限が課せられたものとされている。
【００２９】
また、墨量導出部１５は、入力色空間変換部１１から色域マッピング部１４を介して得られたデバイス独立色空間の画像信号（以下、「デバイス独立色信号」という。）に基づいて、入力画像信号により示される画像を出力側デバイスで出力する際の墨量を導出するものである。
【００３０】
また、出力色空間変換部１６は、デバイス独立色信号の色空間を出力側デバイス（本実施の形態では、画像形成装置）で用いる色空間（本実施の形態では、ＹＭＣＫ色空間）に変換する色空間変換処理を行うものであり、更に、メモリ１７は、入力側デバイスの色再現域を表す色再現域データや出力側デバイスの色再現域を表す色再現域データ、後述する墨量導出処理ルーチン・プログラム等が記憶されている。
【００３１】
ところで、本実施の形態に係る色変換装置では、墨量導出部１５に設けられたメモリ１５Ａに対して、一例として図３に示される、後述するベース墨量Ｋ’を入力とし、出力側デバイスで適用する墨量（以下、「最終墨量」という。）Ｋを出力とする、変換情報としての関数（以下、「Ｋ導出関数」という。）が予め記憶されている。
【００３２】
このＫ導出関数は、本出願人により出願された特開２００６−３２５０５３号公報及び特開２００７−４３２５０号公報に開示されている、上記色材総量の上限値を加味した最低限必要な墨量とＬａｂ値との関係から、その有効範囲を規定することができ、一例として図３のグラフに記載されている点線で示すように有効範囲を制限することができる。この有効範囲は、ベース墨量Ｋ’が０％から１００％に至る線形な点線が上界となり、下界はベース墨量Ｋ’が上記色材総量の上限値を加味した最低限必要な墨量と等しくなる点線となる。
【００３３】
ここで、上記下界について詳細に説明すると、一例として図５に示されるような出力側デバイスにおけるベース墨量Ｋ’毎の色再現域内における最大明度値（Ｃ＝Ｍ＝Ｙ＝０％）のＬａｂ値に対応する最低限必要な墨量を上記特開２００６−３２５０５３号公報及び特開２００７−４３２５０号公報に開示されている方法で算出すると、ベース墨量Ｋ’に対する最低限必要な墨量の対が算出でき、この対を図３のグラフにプロットすると下界の点線となる。
【００３４】
なお、本実施の形態に係るＫ導出関数は、一例として図３に示されるように、墨入れ開始点α（開始点パラメータ）、ベース墨量Ｋ’＝１００％のときの最終墨量Ｋの値β（上限パラメータ）、及びαとβとの間の変化の線形度を表すγ（線形度パラメータ）により表現するものとされている。因みに、Ｋ導出関数が図３に示されるものである場合のγは０（零）である。
【００３５】
また、本実施の形態に係る色変換装置では、Ｋ導出関数として、最終墨量Ｋに有効範囲を外れる部分が存在する場合は、当該部分が当該有効範囲内に収まるように修正されたものを適用しているが、これに限らず、最終墨量Ｋに上記上界を上まわる部分が存在する場合は当該部分の墨量が当該上界に対応する量とされ、最終墨量Ｋに上記下界を下まわる部分が存在する場合は当該部分の墨量が当該下界に対応する量とされるもの、すなわち、最終墨量Ｋが有効範囲内にクリップされるものを適用してもよい。
【００３６】
これらの各部１１〜１６は、例えば画像形成装置、サーバ装置またはドライバ装置が具備するもので、ＣＰＵ（Central Processing Unit）、ＲＯＭ（Read Only Memory）及びＲＡＭ（Random Access Memory）等の組み合わせからなるコンピュータが、所定プログラムを実行することによって、それぞれ実現することができる。
【００３７】
次に、本実施の形態に係る色変換装置の作用を説明する。なお、色変換装置の墨量導出部１５を除く各部の作用は従来既知の技術と同様であるので、ここでは、墨量導出部１５の作用を、墨量導出部１５で実行される、図４に示される墨量導出処理ルーチン・プログラムのフローチャートを参照しつつ説明する。また、図４に示される処理は、例えばユーザのＵＩ部３の操作により色変換が指示されると実行される。
【００３８】
まず、ステップ１００では、デバイス独立色空間において、一例として図５に示されるような出力側デバイスの墨量毎の色再現域における上側色再現域外郭面（Ｃ，Ｍ，Ｙの何れかが必ず０（零）となる。）上の複数の代表点を、対応する墨量（以下、「ベース墨量」という。）Ｋ’と関連付けることにより、Ｌａｂ値からベース墨量Ｋ’を導出するモデルを構成する。このモデルは、上記Ｌａｂ値とベース墨量Ｋ’の複数の対から、Ｌａｂ値を与えてベース墨量Ｋ’を導出できるものであれば如何なるものであってもよく、例えば、本出願人による特開平１０−２６２１５７号公報に記載されている回帰モデルを用いた手法を適用してもよいし、ニューラル・ネットワークを用いた手法を適用してもよい。
【００３９】
次のステップ１０２では、上記ステップ１００の処理によって構成したモデルを用いて、入力色空間変換部１１によって得られたデバイス独立色信号に対応する墨量をベース墨量Ｋ’として画素毎に導出する。
【００４０】
そして、次のステップ１０４では、メモリ１５Ａに記憶されているＫ導出関数を読み出し、当該Ｋ導出関数を用いて、上記ステップ１０２の処理によって画素毎に導出されたベース墨量Ｋ’を最終墨量Ｋに変換する。なお、図６には、図３に示される関数形状とされたＫ導出関数により、２０％までは墨を入れず、２０％以降は１００％まで線形に墨量が増加する変換を施した場合の最終墨量Ｋと色再現域の関係が示されている。
【００４１】
上記ステップ１０４の処理が終了すると本墨量導出処理ルーチン・プログラムが終了となる。本墨量導出処理ルーチン・プログラムのステップ１００の処理が本発明のモデル化手段に、ステップ１０２の処理が本発明のベース墨量導出手段に、ステップ１０４の処理が本発明の墨量変換手段に、各々相当する。
【００４２】
なお、出力色空間変換部１６では、以上の墨量導出処理ルーチン・プログラムによって導出された最終墨量Ｋと、色域マッピング部１４によりマッピングされたデバイス独立色信号（本実施の形態では、Ｌ＊ａ＊ｂ＊色空間の画像信号）に基づいて、入力画像信号により示される画像を出力側デバイスで出力するためのＣ，Ｍ，Ｙの各色信号を導出して最終墨量Ｋと共に出力部２に出力する。この際のＣ，Ｍ，Ｙの各色信号の導出手法は従来既知（一例として、本出願人により出願された特開２００６−３２５０５３号公報及び特開２００７−４３２５０号公報に記載されている手法等）であるので、これ以上の説明は省略する。
【００４３】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、そのような変更または改良を加えた形態も本発明の技術的範囲に含まれる。
【００４４】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【００４５】
例えば、上記実施の形態では、ベース墨量Ｋ’と最終墨量Ｋとの関係を、Ｋ単色のライン（白点から黒点に向かうライン（図５参照。））で定義して適用した場合について説明したが、本発明はこれに限定されるものではなく、例えば、これに加えて、２次色となるＲ，Ｇ，Ｂから４色ベタへのライン（２次色から黒点に向かうライン（図５参照。））上でそれぞれ定義して適用する形態とすることもできる。
【００４６】
この場合は、デバイス独立色空間における白点から黒点に向かうライン上におけるベース墨量を最終墨量に変換するための第１のＫ導出関数と、デバイス独立色空間における２次色から黒点に向かうライン上におけるベース墨量を最終墨量に変換するための第２のＫ導出関数とを有し、前記白点から黒点に向かうライン上におけるベース墨量を最終墨量に変換する際には前記第１のＫ導出関数を用い、前記２次色から黒点に向かうライン上におけるベース墨量を最終墨量に変換する際には前記第２のＫ導出関数を用い、前記白点から黒点に向かうライン上と前記２次色から黒点に向かうライン上の間におけるベース墨量を最終墨量に変換する際には前記第１のＫ導出関数及び前記第２のＫ導出関数の２つの変換情報から補間して算出するようにする。
【００４７】
また、上記実施の形態では、出力側デバイスの墨量毎の上側色再現域外郭（Ｃ，Ｍ，Ｙの何れかが必ず０（零）となる。）上の複数の代表点を、対応するベース墨量Ｋ’としていたため、出力側デバイスの墨量が１００％で再現できる部分空間では、Ｋ導出関数で決定できる最終墨量Ｋを制御することができない。
【００４８】
このための拡張として、一例として図７に示されるように、上記墨量が１００％で再現できる部分空間の最大カバレッジ点（色材の総量制限がない出力側デバイスでは、Ｃ＝Ｍ＝Ｙ＝Ｋ＝１００％）となるデバイス独立色信号に対して、仮想的に１００％を超えるベース墨量Ｋ’を割り当てる（同図では、１００＋ε％）ことにより、出力側デバイスの墨量が１００％となる部分空間でもＫ導出関数でデバイス独立色信号に対応する出力側デバイスの墨量を制御可能とすることができる。
【００４９】
具体的には、出力側デバイスの墨量毎に上側色再現域外郭（Ｃ，Ｍ，Ｙの何れかが必ず０（零）となる。）上の複数の代表点を対応するベース墨量Ｋ’と関連付ける際に、墨量が１００％で再現できる部分空間の最大カバレッジ点となるデバイス独立色信号と、適切な１００％を超える墨量とも関連付けるようにすればよい。ここで、上記適切な１００％を超える墨量εは、例えば、白点（Ｃ＝Ｍ＝Ｙ＝Ｋ＝０）とＫ単色１００％の点とのデバイス独立色空間上の距離をＥｂとし、Ｋ単色１００％の点と墨量が１００％で再現できる部分空間の最大カバレッジ点とのデバイス独立色空間上の距離をＥｅとしたとき、次の（１）式により求めることができる。
【００５０】
【数１】
2009010743.tif 000003
この拡張に伴い、ベース墨量Ｋ’と最終墨量Ｋとの関係を示すグラフは、一例として図８に示されるものとなり、同図に示される斜線でハッチングされている部分が出力側デバイスの特性から算出された有効範囲となる。この場合、関数形状を決定するパラメータα，β，γは前述したように使用した上で、ベース墨量Ｋ’の区間［１００％，１００＋ε％］は線形に接続すればよい。
【００５１】
また、上記実施の形態では、墨量導出処理をソフトウェアによって実現した場合について説明したが、本発明はこれに限定されるものではなく、例えば、当該墨量導出処理をハードウェアにより実現する形態とすることもできる。この場合は、上記実施の形態に比較して、墨量導出処理の高速化が期待できる。
【００５２】
また、上記実施の形態では、一例として図３に示される、ベース墨量Ｋ’と最終墨量Ｋとの関係を示す情報を関数（Ｋ導出関数）として予め用意しておく場合について説明したが、本発明はこれに限定されるものではなく、例えば、ベース墨量Ｋ’を入力値とし、最終墨量Ｋを出力値とするルック・アップ・テーブルとして予め用意しておく形態等とすることもできる。この場合、関数を用意しておく場合に比較して、最終墨量Ｋの導出時間を短縮することができる。
【００５３】
その他、上記実施の形態で説明した色変換装置の構成（図１，図２参照。）は一例であり、本発明の主旨を逸脱しない範囲内において不要な部分を削除したり、新たな部分を追加したりすることができることは言うまでもない。
【００５４】
更に、上記実施の形態で説明した墨量導出処理ルーチン・プログラムの処理の流れ（図３参照。）も一例であり、本発明の主旨を逸脱しない範囲内において新たなステップを追加すること等ができることは言うまでもない。
【図面の簡単な説明】
【００５５】
【図１】実施の形態に係る色変換装置の構成例を示すブロック図である。
【図２】実施の形態に係る色変換装置における色空間信号変換部の構成例を示すブロック図である。
【図３】実施の形態に係るベース墨量Ｋ’と最終墨量Ｋとの関係を示すグラフである。
【図４】実施の形態に係る墨量導出処理ルーチン・プログラムの処理の流れを示すフローチャートである。
【図５】実施の形態に係る墨量導出処理ルーチン・プログラムの説明に供する図であり、横軸が彩度で縦軸が明度とされたグラフである。
【図６】実施の形態に係る墨量導出処理ルーチン・プログラムの説明に供する図であり、横軸が彩度で縦軸が明度とされた他のグラフである。
【図７】実施の形態の変形例の説明に供する図であり、横軸が彩度で縦軸が明度とされたグラフである。
【図８】実施の形態の変形例の説明に供する図であり、ベース墨量Ｋ’と最終墨量Ｋとの関係を示すグラフである。
【符号の説明】
【００５６】
１    入力部（入力手段）
２    出力部
３    ＵＩ部
４    色空間信号変換部
１１    入力色空間変換部（変換手段）
１４    色域マッピング部
１５    墨量導出部（出力墨量導出手段）
１５Ａ    メモリ（記憶手段）
１６    出力色空間変換部
１７    メモリ
【図１】
2009010743.tif 000004
【図２】
2009010743.tif 000005
【図３】
2009010743.tif 000006
【図４】
2009010743.tif 000007
【図８】
2009010743.tif 000008
【図５】
2009010743.tif 000009
【図６】
2009010743.tif 000010
【図７】
2009010743.tif 000011